(57)【特許請求の範囲】
【請求項１】
エレベータのカゴ内に設置されたモニタと、
前記モニタに表示される画像データを前記カゴの階床位置に応じて選択的に提供する画像蓄積部と、
前記画像データを外部からアクセス可能にするための通信手段とを備え、
前記モニタにより前記カゴの運転動作に連動したフロア案内を行うエレベータ停止階のフロア案内システムであって、
前記通信手段は、
前記エレベータが設置されたビル内に設けられ、前記画像蓄積部を含む通信装置と、
前記ビル内の通信装置と外部端末装置とを通信可能に接続するインターネットと、
前記ビル内の通信装置と前記インターネットとの間に介在されたエレベータ保守会社の通信装置とを備え、
前記モニタに表示されるフロア案内の内容は、前記エレベータ保守会社のホームページ画面を介して、前記外部端末装置により随時変更可能に構成されたことを特徴とするエレベータ停止階のフロア案内システム。
【請求項２】
前記モニタに表示されるフロア案内の内容は、前記外部端末装置を介して変更可能な前記画像蓄積部内の画像データにしたがって、変更可能に構成されたことを特徴とする請求項１に記載のエレベータ停止階のフロア案内システム。
【請求項３】
前記モニタに表示されるフロア案内の内容は、広告情報を含み、前記広告情報の表示サービスを有償で提供可能に構成されたことを特徴とする請求項１または請求項２に記載のエレベータ停止階のフロア案内システム。
【請求項４】
前記カゴ内を撮像する防犯カメラと、
前記防犯カメラおよび前記モニタに接続された画像処理装置とを備え、
前記画像処理装置は、前記カゴの戸開き開始時の所定時間だけ、前記防犯カメラの撮像画像を前記モニタに表示させることを特徴とする請求項１から請求項３までのいずれか１項に記載のエレベータ停止階のフロア案内システム。
【請求項５】
前記防犯カメラおよび前記モニタに接続され、前記画像処理装置を含むタイムラプスビデオデッキを備えたことを特徴とする請求項４に記載のエレベータ停止階のフロア案内システム。
【発明の詳細な説明】
【０００１】
【発明の属する技術分野】
この発明は、エレベータの付加サービスとして有償で展開可能なエレベータ停止階のフロア案内システムに関するものである。
【０００２】
【従来の技術】
図９は従来のエレベータカゴ（以下、単に「カゴ」ともいう）内におけるビルのフロア案内表示例を示す説明図である。
図９において、１２０は各フロア（１Ｆ〜４Ｆ）毎のテナント名を示す表示板である。
【０００３】
一般的には、図９で示すように、表示板１２０上にフロア毎のテナント名が表示されるのみである。
また、図１０はデパートなどで用いられ得るフロア案内表示例を示す説明図であり、１２１はパネル状のフロア案内板、１２２はカゴ位置および運転方向を示すカゴ内のインジケータである。
【０００４】
図１０のように、デパートなどにおいては、カゴ内のインジケータ１２２の上部に、パネル状のフロア案内板１２１が取り付けられている場合もある。
しかしながら、いずれの場合も、表示内容はテナント毎の名前程度であり、表示内容を自由に変更することもできない。
【０００５】
【発明が解決しようとする課題】
従来のエレベータ停止階のフロア案内システムは以上のように、単に表示板１２０またはフロア案内板１２１がカゴ内に取り付けられているのみなので、テナント名程度しか表示することができないうえ、案内表示の内容を自由に変更することができないという問題点があった。
【０００６】
この発明は上記のような問題点を解決するためになされたもので、エレベータのカゴ内にモニタを設置することにより、エレベータの停止階に応じた画像を変更可能に表示することのできるエレベータ停止階のフロア案内システムを得ることを目的とする。
【０００７】
また、この発明は、フロア案内の画像を、インターネットを通じて随時アップロード可能とすることにより、ビルの利用者が自由に変更表示することのできるエレベータ停止階のフロア案内システムを得ることを目的とする。
【０００８】
【課題を解決するための手段】
この発明に係るエレベータ停止階のフロア案内システムは、エレベータのカゴ内に設置されたモニタと、モニタに表示される画像データをカゴの階床位置に応じて選択的に提供する画像蓄積部と、画像データを外部からアクセス可能にするための通信手段とを備え、モニタによりカゴの運転動作に連動したフロア案内を行うエレベータ停止階のフロア案内システムであって、通信手段は、エレベータが設置されたビル内に設けられ、画像蓄積部を含む通信装置と、ビル内の通信装置と外部端末装置とを通信可能に接続するインターネットと、ビル内の通信装置とインターネットとの間に介在されたエレベータ保守会社の通信装置とを備え、モニタに表示されるフロア案内の内容は、エレベータ保守会社のホームページ画面を介して、外部端末装置により随時変更可能に構成されたものである。
【００１０】
また、この発明に係るエレベータ停止階のフロア案内システムによるモニタに表示されるフロア案内の内容は、外部端末装置を介して変更可能な画像蓄積部内の画像データにしたがって、変更可能に構成されたものである。
【００１２】
また、この発明に係るエレベータ停止階のフロア案内システムによるモニタに表示されるフロア案内の内容は、広告情報を含み、広告情報の表示サービスを有償で提供可能に構成されたものである。
【００１３】
また、この発明に係るエレベータ停止階のフロア案内システムは、カゴ内を撮像する防犯カメラと、防犯カメラおよびモニタに接続された画像処理装置とを備え、画像処理装置は、カゴの戸開き開始時の所定時間だけ、防犯カメラの撮像画像をモニタに表示させるものである。
【００１４】
また、この発明に係るエレベータ停止階のフロア案内システムは、防犯カメラおよびモニタに接続され、画像処理装置を含むタイムラプスビデオデッキを備えたものである。
【００１５】
【発明の実施の形態】
実施の形態１．
以下、図面を参照しながら、この発明の実施の形態１について詳細に説明する。
図１はこの発明の実施の形態１を示すブロック構成図である。
【００１６】
図１において、１はエレベータが設置されたビル、２はビル１内のエレベータカゴ、３はカゴ２内を撮像する防犯カメラ、４はカゴ２内で案内表示を行うモニタである。５はメモリを有する画像処理装置であり、防犯カメラ３の撮像画像を取り込むとともにモニタ４を駆動する。
【００１７】
６は画像処理装置５を通信回線と接続するための通信装置である。
７は通信装置６に接続されたエレベータ制御盤であり、通常、ビル最上階の機械室に設置されており、通信装置６を介してカゴ２を運転制御するとともに、画像処理装置５を介してモニタ４を駆動する。
【００１８】
２０はエレベータ保守会社であり、通信会社（たとえば、ＮＴＴ（登録商標））を介してビル１と接続されており、通信装置６に接続された通信装置２１と、通信装置２１に接続されたデータ管理装置２２とを備えている。
【００１９】
３０はインターネットであり、エレベータ保守会社２０内の通信装置２１を介して、ビル１内の通信装置６に接続されている。
３１はビル１のテナントが所有するパソコンであり、ホームページの確認および登録などができるようになっている。
【００２０】
図１に示すように、カゴ２の中には、防犯カメラ３およびモニタ４が設置されており、これらは画像処理装置５を通して通信装置６に接続されている。
通信装置６は、エレベータ制御盤７と接続されており、通常は、エレベータからの信号をエレベータ保守会社２０に通報している。
【００２１】
また、通信装置６は、画像処理装置５内にフロア毎の情報画像を蓄積させるとともに、カゴ２の動きに同期させて、画像処理装置５内の画像をモニタ４に表示させる。
【００２２】
一方、エレベータ保守会社２０においては、インターネット３０を経由して、ビル１のテナントのパソコン３１からフロア毎の案内画像データを受付け、データ管理装置２２により管理する。
これにより、登録されたフロア毎の案内画像を、通信装置２１からビル１内の通信装置６を介して画像処理装置５に送信することができる。
【００２３】
次に、図２および図３を参照しながら、図１に示したこの発明の実施の形態１による画像表示動作について具体的に説明する。
図２はビル１内の通信装置６の構成を示すブロック図、図３は画像処理装置５の構成を示すブロック図である。
【００２４】
図２において、４１は通信装置６の制御処理を行うＣＰＵであり、ＣＰＵ４１のバスには、処理プログラム４２、画像蓄積部４３、ＭＯＤＥＭ（モデム）４７、第１のデータ通信部４８および第２のデータ通信部４９が接続されている。
【００２５】
画像蓄積部４３内には、第１、第２、・・・、第Ｘの画像４４、４５、・・・、４６が蓄積されている。
ＭＯＤＥＭ４７はＮＴＴ（登録商標）に接続され、第１のデータ通信部４８はエレベータ制御盤７に接続され、第２のデータ通信部４９は画像処理装置５に接続されている。
【００２６】
図３において、５１はの画像処理装置５の制御処理を行うＣＰＵであり、ＣＰＵ５１のバスには、処理プログラム５２、データ通信部５３、映像ＣＯＤＥＣ（コデック）５４および５５が接続されている。
【００２７】
データ通信部５３は通信装置６に接続され、映像ＣＯＤＥＣ５４および５５は、それぞれ、カゴ２内の防犯カメラ３およびモニタ４に接続されている。
【００２８】
図２に示すように、通信装置６内の画像蓄積部４３には、ビル１のフロア毎の画像４４〜４６があらかじめ登録されており、たとえば、１階に対応する画像は、第１の画像４４として蓄積されている。
【００２９】
画像蓄積部４３は、第１のデータ通信部４８を介して、エレベータ制御盤７と接続されており、カゴ２の階床位置情報をリアルタイムに通信する。
これにより、現状のカゴ２の位置に対応した情報信号を取得して、その階床の画像データを選択して提供することができる。
【００３０】
カゴ２の階床位置に応じて画像蓄積部４３から選択された画像は、第２のデータ通信部４９を介して画像処理装置５に送信され、画像処理装置５内の映像ＣＯＤＥＣ５５を通じて、カゴ２内のモニタ４に表示される。
【００３１】
すなわち、カゴ２の位置が１階の場合には、第１の画像４４がモニタ４に表示され、カゴ２の位置が２階の場合には、第２の画像４５がモニタ４に表示され、カゴ２の階床位置に応じた必要情報のみが詳細に表示される。
【００３２】
次に、図４を参照しながら、図１に示したこの発明の実施の形態１によるインターネット３０を用いたデータ設定確認動作について具体的に説明する。
図４はフロア案内システムの設定確認用のホームページ画面を示す説明図である。
【００３３】
図４において、６０は「エレベータフロア案内システム」の画面、６１はエレベータ保守会社２０に登録されているビル１毎にユニークなビルＮｏの入力部、６２はフロア毎に登録されている各テナントの個人ＩＤを入力するための個人ＩＤ入力部、６３はテナント毎のパスワード入力部、６４は自動的に登録される変更日表示部である。
【００３４】
６５は「画像確認」ボタン、６６は「設定変更」ボタンである。
なお、階床毎に個人ＩＤが異なるので、階床を間違って登録しないように、階床表示（たとえば、「２Ｆ」）も行われる。
【００３５】
現在登録されている案内画像を確認したい場合は、「画像確認」ボタン６５を選択する。また、実行したい機能の「設定変更」ボタン６６を選択することができる。
【００３６】
次に、図５を参照しながら、図１に示したこの発明の実施の形態１によるインターネット３０を用いたデータ設定変更動作（フロア案内画像の変更動作）について具体的に説明する。
図５は設定変更時に切換えられるホームページ画面を示す説明図である。
【００３７】
図５において、７０は設定変更画面、７１は旧パスワード入力部、７２は変更時の新規パスワード入力部７２、７３は変更時の新規メールアドレス入力部、７４はテナント名称入力部、７５はテナント毎にユニークなコメントを入力するためのコメント入力部、７６はパソコン３１の画像ファイルを指定する画像指定部である。
【００３８】
７７は画像表示ボタン、７８は画像印字ボタン、７９は変更ＯＫボタン、８０はやり直しボタン、８１はキャンセルボタン、８２はＴＯＰボタン、８３は実際の画像データを表示する画像表示画面である。
【００３９】
パスワードの変更は、旧パスワード入力部７１を確認しながら、新規パスワード入力部７２により行われる。
メールアドレスの変更は、エレベータ保守会社２０から不具合通知が連絡されたときに活用するものであるが、図５に示す画面７０において、新規メールアドレス入力部７３により実行される。
【００４０】
以下、フロア案内画像の変更動作について説明する。
フロア案内画面の変更は、名称入力部７４において、テナント名（店の名前）の入力が行われる。また、コメント入力部７５において、テナントのＰＲ（キャッチフレーズなど）の入力が行われる。
【００４１】
添付される画像の登録は、インターネット３０に接続されているパソコン３１の画像ファイルを、画像指定部７６で指定することにより実行される。
画像表示ボタン７７を押すと、上記のように入力されたフロア案内画面が、画像表示画面８３に表示されるので、実際に確認することができる。画像のプリントは画像印字ボタン７８により実行可能である。
【００４２】
このように確認することにより、作成した画像がＯＫであれば、変更ＯＫボタン７９の操作により、実際に画像データを登録することができる。
一方、作成画像がＯＫでない場合の設定変更の中止処理は、キャンセルボタン８１により実行される。また、ＴＯＰボタン８２の操作により、エレベータフロア案内システムの画面６０（図４参照）に戻る。
【００４３】
次に、図４および図６を参照しながら、現在登録されている画面の確認動作について具体的に説明する。
図６は設定画像確認画面１００を示す説明図である。
【００４４】
図６において、１０１は確認画像を表示する画像表示画面、１０２は画像印字ボタン、１０３はＴＯＰボタンであり、それぞれ、図５内の画像表示画面８３、画像印字ボタン７８、ＴＯＰボタン８２に対応している。
【００４５】
図４に示すエレベータフロア案内システム画面６０において、エレベータ保守会社２０に登録されているビルＮｏの入力部６１と、フロア毎のテナントＩＤの個人ＩＤ入力部６２と、テナント毎のパスワード入力部６３とを操作した後、画像確認ボタン６６を押すと、図６に示す画像確認画面１００か開く。
【００４６】
これにより、現時点で設定されてエレベータカゴ２内で表示されている画像、たとえば２階向の画像が表示され、モニタ４の案内表示画面をリアルタイムに確認することができる。
【００４７】
次に、図２〜図６とともに、図７のフローチャートを参照しながら、図１に示したこの発明の実施の形態１によるモニタ４の画像表示動作について具体的に説明する。
【００４８】
図７は通信装置６内の画像表示処理ソフトを示している。
図７において、まず、カゴ２の停止階床を示すエレベータ階床データを抽出し（ステップＳ１１１）、画像表示処理を実行する（ステップＳ１１２）。
【００４９】
ステップＳ１１１において、通信装置６は、カゴ２の停止時に、エレベータ側から停止階床を示す同期信号ＳＹＮＣの値（エレベータ階床データ）を読み込み、これを画像「Ｘ」に代入する。
【００５０】
ステップＳ１１２においては、カゴ２の停止位置に対応する画像データを、画像「Ｘ」の値にしたがって、画像蓄積部４３から読み込み、画像表示データとして画像処理装置５に通信し、モニタ４に表示させる。
【００５１】
次に、当該階床に対応した同一画像の表示時間Ｔが１分よりも長く経過したか否かを判定し（ステップＳ１１３）、Ｔ≦１分（すなわち、ＮＯ）と判定されれば、直ちに図７の処理ルーチンを終了する。
【００５２】
一方、ステップＳ１１３において、Ｔ＞１分（すなわち、ＹＥＳ）と判定されれば、続いて、カゴ２内に防犯カメラ３が設置されているか否かを判定する（ステップＳ１１４）。
【００５３】
ステップＳ１１４において、カゴ２内に防犯カメラ３が設置されていない（すなわち、ＮＯ）と判定されれば、直ちに図７の処理ルーチンを終了し、防犯カメラ３が設置されている（すなわち、ＹＥＳ）と判定されれば、続いて、カゴ２の戸が開放動作を開始したか否かを判定する（ステップＳ１１５）。
【００５４】
ステップＳ１１５において、戸開き動作が開始していない（すなわち、ＮＯ）と判定されれば、直ちに図７の処理ルーチンを終了し、戸開き動作が開始した（すなわち、ＹＥＳ）と判定されれば、防犯の威嚇効果を高めるために、防犯カメラ３の映像を５秒間だけ表示させて（ステップＳ１１６）、図７の処理ルーチンを終了する。
【００５５】
これにより、カゴ２の走行に応じた同期信号ＳＹＮＣと同期して、たとえば、カゴ２が１階と２階との中間に進んだ時点で、エレベータの同期信号ＳＹＮＣは「２」となるので、画像蓄積部４３内の第２の画像４５（２階の画像）がモニタ４に表示される。
【００５６】
なお、この発明の実施の形態１による上記モニタシステムは、エレベータ防犯カメラシステムとして、容易に適用することができる。
図８はエレベータ防犯カメラシステムに適用した場合のカゴ周辺を示すブロック構成図であり、前述（図１参照）と同様の構成については図示を省略する。
【００５７】
図８において、２００はカゴ２上に設置されたコマドリ用のタイムラプスビデオデッキであり、防犯カメラ３およびモニタ４に接続されている。
ここで、画像処理装置５の機能は、タイムラプスビデオデッキ２００に内臓されているものとする。
【００５８】
この場合、タイムラプスビデオデッキ２００に通信装置６を接続するか、または、タイムラプスビデオデッキ２００に通信装置６の機能を追加すれば、防犯機能を向上させたエレベータフロア案内機能を安価に提供することができる。
【００５９】
なお、上記実施の形態１では、カゴ２の階床位置に応じてモニタ４の案内表示を変更させたが、たとえば、前述（図９参照）の表示板１２０と同様のテナント案内画像を１階用の画像表示（第１の画像４４）として適用すれば、カゴ２に乗車した直後のテナント案内に有効活用することができる。
【００６０】
また、住宅（マンション）用エレベータなどで特にフロア案内が必要ない場合には、キャラクタ表示を階床毎に切換えて表示することもでき、利用者にはアメニティを提供することができる。
【００６１】
また、表示キャラクタの横に提携会社の広告を表示させることにより、案内表示を媒体に、提携会社からマンション側に広告料金の支払い収入を得ることができる。
【００６２】
また、通信装置６をインターネット３０に接続することにより、１階用の表示画像を文字情報表示として活用すると、インターネット３０を介して、何処からでも入力可能なビル用の掲示板を提供することができる。
【００６３】
また、エレベータフロア案内システムの他の事例として、通信装置６は、カゴ２内の行先ボタンの操作信号をエレベータ制御盤７から受け取り、たとえば３階の呼びボタン操作に応答して、２秒だけ３階向けのフロア案内画像を表示させることもできる。
【００６４】
また、エレベータの標準機能として、行先ボタンを押し間違えた場合には、たとえば３階の呼びボタンを連続して２回押すと、登録された呼びがキャンセルすることができる。続いて、４階の呼びボタンを押すと、２秒間だけ４階向けのフロア案内画像を表示することができる。
【００６５】
また、階床毎のフロア案内が画像によって表示されるうえ、それぞれインターネット３０により、フロア利用者の必要データに随時変更することができるので、たとえば飲食店テナントであれば、カゴ２が当該階床に近づく毎に、毎日の日変わりのお勧めメニュー広告などを容易に表示させることができる。
【００６６】
また、乗客の視線がモニタ４に向けられるので、乗り合わせた乗客同士の気まずさを解消することができるうえ、乗客のイライラを防止するとともに、利用者の利便性を向上させることができる。
【００６７】
さらに、上記フロア案内システムをテナントに積極的に利用させ、フロア案内の代わりに広告を表示させることにより、オーナ側において、広告代の収入を得ることができる。
【００６８】
【発明の効果】
以上のように、この発明によれば、エレベータのカゴ内に設置されたモニタと、モニタに表示される画像データをカゴの階床位置に応じて選択的に提供する画像蓄積部と、画像データを外部からアクセス可能にするための通信手段とを備え、モニタによりカゴの運転動作に連動したフロア案内を行うエレベータ停止階のフロア案内システムであって、通信手段は、エレベータが設置されたビル内に設けられ、画像蓄積部を含む通信装置と、ビル内の通信装置と外部端末装置とを通信可能に接続するインターネットと、ビル内の通信装置とインターネットとの間に介在されたエレベータ保守会社の通信装置とを備え、モニタに表示されるフロア案内の内容は、エレベータ保守会社のホームページ画面を介して、外部端末装置により随時変更可能に構成されたので、エレベータの停止階に応じた画像を変更可能に表示することのできるエレベータ停止階のフロア案内システムが得られる効果がある。
また、インターネットを通じて随時アップロードすることができるとともに、変更データを確認しながら、ビルの利用者が自由に変更表示することのできるエレベータ停止階のフロア案内システムが得られる効果がある。
【００７０】
また、この発明によれば、モニタに表示されるフロア案内の内容は、外部端末装置を介して変更可能な画像蓄積部内の画像データにしたがって、変更可能に構成されたので、フロア案内画像を随時アップロードして、ビルの利用者が自由に変更表示することのできるエレベータ停止階のフロア案内システムが得られる効果がある。
【００７２】
また、この発明によれば、モニタに表示されるフロア案内の内容は、広告情報を含み、広告情報の表示サービスを有償で提供可能に構成したので、オーナ側に利益をもたらすことのできるエレベータ停止階のフロア案内システムが得られる効果がある。
【００７３】
また、この発明によれば、カゴ内を撮像する防犯カメラと、防犯カメラおよびモニタに接続された画像処理装置とを備え、画像処理装置は、カゴの戸開き開始時の所定時間だけ、防犯カメラの撮像画像をモニタに表示させるようにしたので、防犯機能を向上させたエレベータ停止階のフロア案内システムが得られる効果がある。
【００７４】
また、この発明によれば、防犯カメラおよびモニタに接続され、画像処理装置を含むタイムラプスビデオデッキを備えたので、防犯機能を向上させたエレベータ停止階のフロア案内システムが安価に得られる効果がある。
【図面の簡単な説明】
【図１】  この発明の実施の形態１によるシステム全体を示すブロック構成図である。
【図２】  図１内の通信装置を示すブロック図である。
【図３】  図１内の画像処理装置を示すブロック図である。
【図４】  この発明の実施の形態１による画像登録変更画面を示す説明図である。
【図５】  この発明の実施の形態１による設定変更画面を示す説明図である。
【図６】  この発明の実施の形態１による設定画像確認画面を示す説明図である。
【図７】  この発明の実施の形態１による通信装置の処理動作を示すフローチャートである。
【図８】  この発明の実施の形態１を適用したエレベータ防犯カメラシステムを示すブロック構成図である。
【図９】  従来のエレベータ停止階のフロア案内システムによるカゴ内のテナント表示用の表示板を示す説明図である。
【図１０】  従来のエレベータ停止階のフロア案内システムによるカゴ内のテナント表示用のフロア案内板を示す説明図である。
【符号の説明】
１  ビル、２  カゴ、３  防犯カメラ、４  モニタ、５  画像処理装置、６  通信装置、７  エレベータ制御盤、２０  エレベータ保守会社、２１  通信装置、３０  インターネット、３１  パソコン（外部端末装置）、４３  画像蓄積部、２００  タイムラプスビデオデッキ。
【図１】
0003976613.tif 000002
【図２】
0003976613.tif 000003
【図３】
0003976613.tif 000004
【図４】
0003976613.tif 000005
【図５】
0003976613.tif 000006
【図６】
0003976613.tif 000007
【図７】
0003976613.tif 000008
【図８】
0003976613.tif 000009
【図９】
0003976613.tif 000010
【図１０】
0003976613.tif 000011